(57)【特許請求の範囲】
【請求項１】
アクセスの許可範囲が設定されたフォルダに格納されたデータの管理をコンピューターに実行させるデータ管理プログラムであって、
任意のデータを格納しうる格納先フォルダを指定するためのカーソルの動きを含む予備動作について、当該予備動作を検知するための検知領域を設定する検知領域設定ステップと、
設定された前記検知領域により前記予備動作が検知され、前記格納先フォルダに設定されている前記許可範囲が、前記任意のデータを元から格納している格納元フォルダと異なる場合には、前記任意のデータの格納を受け付けるターゲット領域に前記カーソルが進入しうる方向のうち一部の方向について前記格納先フォルダへの格納を不許可にするように、前記ターゲット領域を基準状態から変更することにより、前記格納先フォルダへの前記任意のデータの格納を制限する格納制限ステップと、
を前記コンピューターに実行させるデータ管理プログラム。
【請求項２】
アクセスの許可範囲が設定されたフォルダに格納されたデータの管理をコンピューターに実行させるデータ管理プログラムであって、
データを格納しうる格納先フォルダに任意のデータを格納するための予備動作について、当該予備動作を検知するための検知領域を設定する検知領域設定ステップと、
前記格納先フォルダに設定されている前記許可範囲が、前記任意のデータを元から格納している格納元フォルダと異なるか否かを判断する判断ステップと、
設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を前記コンピューターに実行させ、
前記予備動作は前記格納先フォルダを指定するためのカーソルの動きを含み、
前記格納制限ステップにおいて、前記任意のデータの格納を制限する際には、前記格納先フォルダにおいて前記任意のデータの格納を受け付けるターゲット領域を基準状態から変更し、前記カーソルが前記ターゲット領域に進入しうる方向のうち一部の方向について、前記格納先フォルダへの格納を不許可にする、データ管理プログラム。
【請求項３】
アクセスの許可範囲が設定されたフォルダに格納されたデータの管理をコンピューターに実行させるデータ管理プログラムであって、
データを格納しうる格納先フォルダに任意のデータを格納するための予備動作について、当該予備動作を検知するための検知領域を設定する検知領域設定ステップと、
前記格納先フォルダに設定されている前記許可範囲が、前記任意のデータを元から格納している格納元フォルダと異なるか否かを判断する判断ステップと、
設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を前記コンピューターに実行させ、
前記予備動作は前記格納先フォルダを指定するためのカーソルの動きを含み、
前記格納制限ステップにおいて、前記予備動作によってカーソルが、前記格納元フォルダと前記格納先フォルダを結ぶ直線と交差するターゲット領域の所定部分を通過した場合には、当該格納先フォルダへのデータの格納を不許可にする、データ管理プログラム。
【請求項４】
前記格納制限ステップにおいて、前記ターゲット領域を前記基準状態から変更する際には、前記ターゲット領域のサイズを小さくするように変更する、請求項１に記載のデータ管理プログラム。
【請求項５】
前記格納制限ステップにおいて、前記ターゲット領域を前記基準状態から変更する際には、前記ターゲット領域の形状を細長い形状とするように変更する、請求項１に記載のデータ管理プログラム。
【請求項６】
前記格納制限ステップにおいて、前記ターゲット領域を前記基準状態から変更する際には、前記ターゲット領域の位置を前記格納元フォルダから遠い端に片寄せするように変更する、請求項１に記載のデータ管理プログラム。
【請求項７】
前記格納制限ステップにおいて、前記ターゲット領域を前記基準状態から変更する際には、前記ターゲット領域のサイズ、形状、位置および色の少なくともいずれかを変更する、請求項１に記載のデータ管理プログラム。
【請求項８】
前記格納制限ステップにおいて、前記予備動作が、前記格納元フォルダと前記格納先フォルダを結ぶ直線と交差する前記ターゲット領域の所定部分を通過した場合には、当該格納先フォルダへのデータの格納を不許可にする、請求項１に記載のデータ管理プログラム。
【請求項９】
前記コンピューターは、ネットワークを介して複数の画像形成装置と接続可能であり、
前記予備動作は、前記画像形成装置の操作パネルを介して行われる、請求項１〜８のいずれか一項に記載のデータ管理プログラム。
【請求項１０】
前記フォルダには、前記任意のデータとして、前記複数の画像形成装置により読み書き可能な、文書ファイル、画像ファイルまたは写真ファイルが格納される、請求項９に記載のデータ管理プログラム。
【請求項１１】
前記許可範囲は、前記複数の画像形成装置のうちの所定の画像形成装置を利用するユーザーによるアクセスを許可するものである、請求項９または１０に記載のデータ管理プログラム。
【請求項１２】
フォルダごとにアクセスの許可範囲を設定する許可範囲設定部と、
任意のデータを格納しうる格納先フォルダを指定するためのカーソルの動きを含む予備動作について、当該予備動作を検知するための検知領域を設定する検知領域設定部と、
設定された前記検知領域により前記予備動作が検知され、前記格納先フォルダに設定されている前記許可範囲が、前記任意のデータを元から格納している格納元フォルダと異なる場合には、前記任意のデータの格納を受け付けるターゲット領域に前記カーソルが進入しうる方向のうち一部の方向について前記格納先フォルダへの格納を不許可にするように、前記ターゲット領域を基準状態から変更することにより、前記格納先フォルダへの前記任意のデータの格納を制限する格納制限部と、
を有するデータ管理装置。
【請求項１３】
フォルダごとにアクセスの許可範囲を設定する許可範囲設定部と、
データを格納しうる格納先フォルダに任意のデータを格納するための予備動作について、当該予備動作を検知するための検知領域を設定する検知領域設定部と、
前記格納先フォルダに設定されている前記許可範囲が、前記任意のデータを元から格納している格納元フォルダと異なるか否かを判断する判断部と、
設定された前記検知領域により前記予備動作が検知され、前記格納先フォルダに設定されている前記許可範囲が、前記任意のデータを元から格納している格納元フォルダと異なると前記判断部により判断された場合には、前記格納先フォルダへの前記任意のデータの格納を制限する格納制限部と、を有し、
前記予備動作は前記格納先フォルダを指定するためのカーソルの動きを含み、
前記格納制限部は、前記任意のデータの格納を制限する際には、前記格納先フォルダにおいて前記任意のデータの格納を受け付けるターゲット領域を基準状態から変更し、前記カーソルが前記ターゲット領域に進入しうる方向のうち一部の方向について、前記格納先フォルダへの格納を不許可にする、データ管理装置。
【請求項１４】
フォルダごとにアクセスの許可範囲を設定する許可範囲設定部と、
データを格納しうる格納先フォルダに任意のデータを格納するための予備動作について、当該予備動作を検知するための検知領域を設定する検知領域設定部と、
前記格納先フォルダに設定されている前記許可範囲が、前記任意のデータを元から格納している格納元フォルダと異なるか否かを判断する判断部と、
設定された前記検知領域により前記予備動作が検知され、前記格納先フォルダに設定されている前記許可範囲が、前記任意のデータを元から格納している格納元フォルダと異なると前記判断部により判断された場合には、前記格納先フォルダへの前記任意のデータの格納を制限する格納制限部と、を有し、
前記予備動作は前記格納先フォルダを指定するためのカーソルの動きを含み、
前記格納制限部は、前記予備動作によってカーソルが、前記格納元フォルダと前記格納先フォルダを結ぶ直線と交差するターゲット領域の所定部分を通過した場合には、当該格納先フォルダへのデータの格納を不許可にする、データ管理装置。
【請求項１５】
前記格納制限部は、前記ターゲット領域を前記基準状態から変更する際には、前記ターゲット領域のサイズを小さくするように変更する、請求項１２に記載のデータ管理装置。
【請求項１６】
前記格納制限部は、前記ターゲット領域を前記基準状態から変更する際には、前記ターゲット領域の形状を細長い形状とするように変更する、請求項１２に記載のデータ管理装置。
【請求項１７】
前記格納制限部は、前記ターゲット領域を前記基準状態から変更する際には、前記ターゲット領域の位置を前記格納元フォルダから遠い端に片寄せするように変更する、請求項１２に記載のデータ管理装置。
【請求項１８】
前記格納制限部は、前記ターゲット領域を前記基準状態から変更する際には、前記ターゲット領域のサイズ、形状、位置および色の少なくともいずれかを変更する、請求項１２に記載のデータ管理装置。
【請求項１９】
前記格納制限部は、前記予備動作が、前記格納元フォルダと前記格納先フォルダを結ぶ直線と交差する前記ターゲット領域の所定部分を通過した場合には、当該格納先フォルダへのデータの格納を不許可にする、請求項１２に記載のデータ管理装置。
【請求項２０】
当該データ管理装置は、ネットワークを介して複数の画像形成装置と接続可能であり、
前記予備動作は、前記画像形成装置の操作パネルを介して行われる、請求項１２〜１９のいずれか一項に記載のデータ管理装置。
【請求項２１】
前記フォルダには、前記任意のデータとして、前記複数の画像形成装置により読み書き可能な、文書ファイル、画像ファイルまたは写真ファイルが格納される、請求項２０に記載のデータ管理装置。
【請求項２２】
前記許可範囲は、前記複数の画像形成装置のうちの所定の画像形成装置を利用するユーザーによるアクセスを許可するものである、請求項２０または２１に記載のデータ管理装置。
【請求項２３】
アクセスの許可範囲が設定されたフォルダに格納されたデータの管理を行うデータ管理方法であって、
任意のデータを格納しうる格納先フォルダを指定するためのカーソルの動きを含む予備動作について、当該予備動作を検知するための検知領域を設定する検知領域設定ステップと、
設定された前記検知領域により前記予備動作が検知され、前記格納先フォルダに設定されている前記許可範囲が、前記任意のデータを元から格納している格納元フォルダと異なる場合には、前記任意のデータの格納を受け付けるターゲット領域に前記カーソルが進入しうる方向のうち一部の方向について前記格納先フォルダへの格納を不許可にするように、前記ターゲット領域を基準状態から変更することにより、前記格納先フォルダへの前記任意のデータの格納を制限する格納制限ステップと、
を有するデータ管理方法。
【請求項２４】
アクセスの許可範囲が設定されたフォルダに格納されたデータの管理を行うデータ管理
方法であって、
データを格納しうる格納先フォルダに任意のデータを格納するための予備動作について、当該予備動作を検知するための検知領域を設定する検知領域設定ステップと、
前記格納先フォルダに設定されている前記許可範囲が、前記任意のデータを元から格納している格納元フォルダと異なるか否かを判断する判断ステップと、
設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を有し、
前記予備動作は前記格納先フォルダを指定するためのカーソルの動きを含み、
前記格納制限ステップにおいて、前記任意のデータの格納を制限する際には、前記格納先フォルダにおいて前記任意のデータの格納を受け付けるターゲット領域を基準状態から変更し、前記カーソルが前記ターゲット領域に進入しうる方向のうち一部の方向について、前記格納先フォルダへの格納を不許可にする、データ管理方法。
【請求項２５】
アクセスの許可範囲が設定されたフォルダに格納されたデータの管理を行うデータ管理
方法であって、
データを格納しうる格納先フォルダに任意のデータを格納するための予備動作について、当該予備動作を検知するための検知領域を設定する検知領域設定ステップと、
前記格納先フォルダに設定されている前記許可範囲が、前記任意のデータを元から格納している格納元フォルダと異なるか否かを判断する判断ステップと、
設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を有し、
前記予備動作は前記格納先フォルダを指定するためのカーソルの動きを含み、
前記格納制限ステップにおいて、前記予備動作によってカーソルが、前記格納元フォルダと前記格納先フォルダを結ぶ直線と交差するターゲット領域の所定部分を通過した場合には、当該格納先フォルダへのデータの格納を不許可にする、データ管理方法。
【請求項２６】
請求項１〜１１のいずれか一項に記載のデータ管理プログラムを記憶したコンピューター読み込み可能な記録媒体。
【発明の詳細な説明】
【技術分野】
【０００１】
本発明は、データ管理プログラム、データ管理装置、および記録媒体に関し、特に、データをフォルダ内に格納するときの誤操作を防止する技術に関する。
【背景技術】
【０００２】
オンラインストレージ等に格納されたデータをあるフォルダ（以下、格納元フォルダという）から他のフォルダ（以下、格納先フォルダという）に移動やコピーをして格納させる場合には注意が必要である。フォルダごとに設定されている公開範囲（アクセスを許可する範囲）が異なる場合があるからである。
【０００３】
たとえば、格納先フォルダに設定された公開範囲が、格納元フォルダに設定された公開範囲よりも広い場合には、ユーザーは慎重に判断しないと、公開したくない相手にまでデータを公開してしまうおそれがある。逆に、格納先フォルダに設定された公開範囲が、格納元フォルダに設定された公開範囲よりも狭い場合には、公開しておく必要のあったデータまで非公開にしてしまうおそれがある。
【０００４】
そのため、ユーザーの意図に反してデータを格納元フォルダとは異なるフォルダに格納させてしまうことがないように、操作に制限を設けておくと便利である。
【０００５】
操作に制限を設ける技術としては、たとえば、安易に操作されたくないボタン等が配置された所定領域内には、その境界にポインターが到達してから所定時間が経過した後でなければ、進入できないようにする技術がある（特許文献１）。
【先行技術文献】
【特許文献】
【０００６】
【特許文献１】特表２０１１−５１１３３２号公報
【発明の概要】
【発明が解決しようとする課題】
【０００７】
しかし、従来のような制限方法では、一定時間は所定領域内にポインターを移動させることができないため、ユーザーの操作が中断されてしまうという問題がある。
【０００８】
本発明は、上記事情に鑑みてなされたものであり、ユーザーの操作を中断させることなく、ユーザーの意図に反するフォルダにデータを格納してしまうことを制限できるデータ管理プログラム、データ管理装置、および記録媒体を提供することを目的とする。
【課題を解決するための手段】
【０００９】
（１）アクセスの許可範囲が設定されたフォルダに格納されたデータの管理をコンピューターに実行させるデータ管理プログラムであって、任意のデータを格納しうる格納先フォルダを指定するためのカーソルの動きを含む予備動作について、当該予備動作を検知するための検知領域を設定する検知領域設定ステップと、設定された前記検知領域により前記予備動作が検知され、前記格納先フォルダに設定されている前記許可範囲が、前記任意のデータを元から格納している格納元フォルダと異なる場合には、前記任意のデータの格納を受け付けるターゲット領域に前記カーソルが進入しうる方向のうち一部の方向について前記格納先フォルダへの格納を不許可にするように、前記ターゲット領域を基準状態から変更することにより、前記格納先フォルダへの前記任意のデータの格納を制限する格納制限ステップと、を前記コンピューターに実行させるデータ管理プログラム。
（２）アクセスの許可範囲が設定されたフォルダに格納されたデータの管理をコンピューターに実行させるデータ管理プログラムであって、データを格納しうる格納先フォルダに任意のデータを格納するための予備動作について、当該予備動作を検知するための検知領域を設定する検知領域設定ステップと、前記格納先フォルダに設定されている前記許可範囲が、前記任意のデータを元から格納している格納元フォルダと異なるか否かを判断する判断ステップと、設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を前記コンピューターに実行させ、前記予備動作は前記格納先フォルダを指定するためのカーソルの動きを含み、前記格納制限ステップにおいて、前記任意のデータの格納を制限する際には、前記格納先フォルダにおいて前記任意のデータの格納を受け付けるターゲット領域を基準状態から変更し、前記カーソルが前記ターゲット領域に進入しうる方向のうち一部の方向について、前記格納先フォルダへの格納を不許可にする、データ管理プログラム。
（３）アクセスの許可範囲が設定されたフォルダに格納されたデータの管理をコンピューターに実行させるデータ管理プログラムであって、データを格納しうる格納先フォルダに任意のデータを格納するための予備動作について、当該予備動作を検知するための検知領域を設定する検知領域設定ステップと、前記格納先フォルダに設定されている前記許可範囲が、前記任意のデータを元から格納している格納元フォルダと異なるか否かを判断する判断ステップと、設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を前記コンピューターに実行させ、前記予備動作は前記格納先フォルダを指定するためのカーソルの動きを含み、前記格納制限ステップにおいて、前記予備動作によってカーソルが、前記格納元フォルダと前記格納先フォルダを結ぶ直線と交差するターゲット領域の所定部分を通過した場合には、当該格納先フォルダへのデータの格納を不許可にする、データ管理プログラム。
（４）前記格納制限ステップにおいて、前記ターゲット領域を前記基準状態から変更する際には、前記ターゲット領域のサイズを小さくするように変更する、上記（１）に記載のデータ管理プログラム。
（５）前記格納制限ステップにおいて、前記ターゲット領域を前記基準状態から変更する際には、前記ターゲット領域の形状を細長い形状とするように変更する、上記（１）に記載のデータ管理プログラム。
（６）前記格納制限ステップにおいて、前記ターゲット領域を前記基準状態から変更する際には、前記ターゲット領域の位置を前記格納元フォルダから遠い端に片寄せするように変更する、上記（１）に記載のデータ管理プログラム。
（７）前記格納制限ステップにおいて、前記ターゲット領域を前記基準状態から変更する際には、前記ターゲット領域のサイズ、形状、位置および色の少なくともいずれかを変更する、上記（１）に記載のデータ管理プログラム。
（８）前記格納制限ステップにおいて、前記予備動作が、前記格納元フォルダと前記格納先フォルダを結ぶ直線と交差する前記ターゲット領域の所定部分を通過した場合には、当該格納先フォルダへのデータの格納を不許可にする、上記（１）に記載のデータ管理プログラム。
（９）前記コンピューターは、ネットワークを介して複数の画像形成装置と接続可能であり、前記予備動作は、前記画像形成装置の操作パネルを介して行われる、上記（１）〜（８）のいずれかに記載のデータ管理プログラム。
（１０）前記フォルダには、前記任意のデータとして、前記複数の画像形成装置により読み書き可能な、文書ファイル、画像ファイルまたは写真ファイルが格納される、上記（９）に記載のデータ管理プログラム。
（１１）前記許可範囲は、前記複数の画像形成装置のうちの所定の画像形成装置を利用するユーザーによるアクセスを許可するものである、上記（９）または（１０）に記載のデータ管理プログラム。
（１２）フォルダごとにアクセスの許可範囲を設定する許可範囲設定部と、任意のデータを格納しうる格納先フォルダを指定するためのカーソルの動きを含む予備動作について、当該予備動作を検知するための検知領域を設定する検知領域設定部と、設定された前記検知領域により前記予備動作が検知され、前記格納先フォルダに設定されている前記許可範囲が、前記任意のデータを元から格納している格納元フォルダと異なる場合には、前記任意のデータの格納を受け付けるターゲット領域に前記カーソルが進入しうる方向のうち一部の方向について前記格納先フォルダへの格納を不許可にするように、前記ターゲット領域を基準状態から変更することにより、前記格納先フォルダへの前記任意のデータの格納を制限する格納制限部と、を有するデータ管理装置。
（１３）フォルダごとにアクセスの許可範囲を設定する許可範囲設定部と、データを格納しうる格納先フォルダに任意のデータを格納するための予備動作について、当該予備動作を検知するための検知領域を設定する検知領域設定部と、前記格納先フォルダに設定されている前記許可範囲が、前記任意のデータを元から格納している格納元フォルダと異なるか否かを判断する判断部と、設定された前記検知領域により前記予備動作が検知され、前記格納先フォルダに設定されている前記許可範囲が、前記任意のデータを元から格納している格納元フォルダと異なると前記判断部により判断された場合には、前記格納先フォルダへの前記任意のデータの格納を制限する格納制限部と、を有し、前記予備動作は前記格納先フォルダを指定するためのカーソルの動きを含み、前記格納制限部は、前記任意のデータの格納を制限する際には、前記格納先フォルダにおいて前記任意のデータの格納を受け付けるターゲット領域を基準状態から変更し、前記カーソルが前記ターゲット領域に進入しうる方向のうち一部の方向について、前記格納先フォルダへの格納を不許可にする、データ管理装置。
（１４）フォルダごとにアクセスの許可範囲を設定する許可範囲設定部と、データを格納しうる格納先フォルダに任意のデータを格納するための予備動作について、当該予備動作を検知するための検知領域を設定する検知領域設定部と、前記格納先フォルダに設定されている前記許可範囲が、前記任意のデータを元から格納している格納元フォルダと異なるか否かを判断する判断部と、設定された前記検知領域により前記予備動作が検知され、前記格納先フォルダに設定されている前記許可範囲が、前記任意のデータを元から格納している格納元フォルダと異なると前記判断部により判断された場合には、前記格納先フォルダへの前記任意のデータの格納を制限する格納制限部と、を有し、前記予備動作は前記格納先フォルダを指定するためのカーソルの動きを含み、前記格納制限部は、前記予備動作によってカーソルが、前記格納元フォルダと前記格納先フォルダを結ぶ直線と交差するターゲット領域の所定部分を通過した場合には、当該格納先フォルダへのデータの格納を不許可にする、データ管理装置。
（１５）前記格納制限部は、前記ターゲット領域を前記基準状態から変更する際には、前記ターゲット領域のサイズを小さくするように変更する、上記（１２）に記載のデータ管理装置。
（１６）前記格納制限部は、前記ターゲット領域を前記基準状態から変更する際には、前記ターゲット領域の形状を細長い形状とするように変更する、上記（１２）に記載のデータ管理装置。
（１７）前記格納制限部は、前記ターゲット領域を前記基準状態から変更する際には、前記ターゲット領域の位置を前記格納元フォルダから遠い端に片寄せするように変更する、上記（１２）に記載のデータ管理装置。
（１８）前記格納制限部は、前記ターゲット領域を前記基準状態から変更する際には、前記ターゲット領域のサイズ、形状、位置および色の少なくともいずれかを変更する上記（１２）に記載のデータ管理装置。
（１９）前記格納制限部は、前記予備動作が、前記格納元フォルダと前記格納先フォルダを結ぶ直線と交差する前記ターゲット領域の所定部分を通過した場合には、当該格納先フォルダへのデータの格納を不許可にする、上記（１２）に記載のデータ管理装置。
（２０）当該データ管理装置は、ネットワークを介して複数の画像形成装置と接続可能であり、前記予備動作は、前記画像形成装置の操作パネルを介して行われる、上記（１２）〜（１９）のいずれかに記載のデータ管理装置。
（２１）前記フォルダには、前記任意のデータとして、前記複数の画像形成装置により読み書き可能な、文書ファイル、画像ファイルまたは写真ファイルが格納される、上記（２０）に記載のデータ管理装置。
（２２）前記許可範囲は、前記複数の画像形成装置のうちの所定の画像形成装置を利用するユーザーによるアクセスを許可するものである、上記（２０）または（２１）に記載のデータ管理装置。
（２３）アクセスの許可範囲が設定されたフォルダに格納されたデータの管理を行うデータ管理方法であって、任意のデータを格納しうる格納先フォルダを指定するためのカーソルの動きを含む予備動作について、当該予備動作を検知するための検知領域を設定する検知領域設定ステップと、設定された前記検知領域により前記予備動作が検知され、前記格納先フォルダに設定されている前記許可範囲が、前記任意のデータを元から格納している格納元フォルダと異なる場合には、前記任意のデータの格納を受け付けるターゲット領域に前記カーソルが進入しうる方向のうち一部の方向について前記格納先フォルダへの格納を不許可にするように、前記ターゲット領域を基準状態から変更することにより、前記格納先フォルダへの前記任意のデータの格納を制限する格納制限ステップと、を有するデータ管理方法。
（２４）アクセスの許可範囲が設定されたフォルダに格納されたデータの管理を行うデータ管理方法であって、データを格納しうる格納先フォルダに任意のデータを格納するための予備動作について、当該予備動作を検知するための検知領域を設定する検知領域設定ステップと、前記格納先フォルダに設定されている前記許可範囲が、前記任意のデータを元から格納している格納元フォルダと異なるか否かを判断する判断ステップと、設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を有し、前記予備動作は前記格納先フォルダを指定するためのカーソルの動きを含み、前記格納制限ステップにおいて、前記任意のデータの格納を制限する際には、前記格納先フォルダにおいて前記任意のデータの格納を受け付けるターゲット領域を基準状態から変更し、前記カーソルが前記ターゲット領域に進入しうる方向のうち一部の方向について、前記格納先フォルダへの格納を不許可にする、データ管理方法。
（２５）アクセスの許可範囲が設定されたフォルダに格納されたデータの管理を行うデータ管理方法であって、データを格納しうる格納先フォルダに任意のデータを格納するための予備動作について、当該予備動作を検知するための検知領域を設定する検知領域設定ステップと、前記格納先フォルダに設定されている前記許可範囲が、前記任意のデータを元から格納している格納元フォルダと異なるか否かを判断する判断ステップと、設定された前記検知領域により前記予備動作が検知され、前記格納先フォルダに設定されている前記許可範囲が、前記任意のデータを元から格納している格納元フォルダと異なると前記判断ステップにおいて判断された場合には、前記格納先フォルダへの前記任意のデータの格納を制限する格納制限ステップと、を有し、前記予備動作は前記格納先フォルダを指定するためのカーソルの動きを含み、前記格納制限ステップにおいて、前記予備動作によってカーソルが、前記格納元フォルダと前記格納先フォルダを結ぶ直線と交差するターゲット領域の所定部分を通過した場合には、当該格納先フォルダへのデータの格納を不許可にする、データ管理方法。
（２６）上記（１）〜（１１）のいずれかに記載のデータ管理プログラムを記憶したコンピューター読み込み可能な記録媒体。
【発明の効果】
【００２０】
本発明によれば、データを格納元フォルダから格納先フォルダへ移動させる際に、格納元フォルダに設定された公開範囲（アクセスの許可範囲）と、格納先フォルダに設定された公開範囲が異なる場合には、格納先フォルダへのデータの格納に制限を設ける。これは、データを移動させる操作に制限を設けるものではない。そのため、ユーザーの操作を中断させることなく、ユーザーの意図に反してデータが格納先フォルダに格納されることを制限できる。
【図面の簡単な説明】
【００２１】
【図１】第１実施形態にかかる印刷システムの概略構成図である。
【図２】データ管理サーバーの概略構成を示すブロック図である。
【図３】クライアント装置（ＰＣ、携帯端末）の概略構成を示すブロック図である。
【図４】クライアント装置（画像形成装置）の概略構成を示すブロック図である。
【図５】印刷システムの基本的なソフトウェア構成を示すブロック図である。
【図６】公開範囲データの概略データ構造を示す図である。
【図７】第１実施形態にかかるデータ格納処理の手順を示すフローチャートである。
【図８】基準状態のターゲット領域の一例を示す図である。
【図９】基準状態から変更されたターゲット領域の一例を示す図である。
【図１０】（Ａ）は第１実施形態にかかるターゲット領域の変形例１を示す図であり、（Ｂ）は第１実施形態にかかるターゲット領域の変形例２を示す図であり、（Ｃ）は第１実施形態にかかるターゲット領域の変形例３を示す図である。
【図１１】第２実施形態にかかるデータ格納処理の手順を示すフローチャートである。
【図１２】一部の方向からの格納を制限するターゲット領域の一例（格納できない場合）を示す図である。
【図１３】一部の方向からの格納を制限するターゲット領域の一例（格納できる場合）を示す図である。
【図１４】（Ａ）は第２実施形態にかかるターゲット領域の変形例１を示す図であり、（Ｂ）は第２実施形態にかかるターゲット領域の変形例２を示す図である。
【図１５】公開範囲データを変更するための変更画面の例を示す図である。
【発明を実施するための形態】
【００２２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２３】
（第１実施形態）
図１は、第１実施形態にかかる印刷システム１の概略構成図の一例を示す図である。
【００２４】
図１に示されるとおり、印刷システム１は、データ管理サーバー１００と、クライアント装置２００と、を備えている。データ管理サーバー１００とクライアント装置２００は、コンピューターネットワーク（以下では単に「ネットワーク」という）を介して相互に通信可能に接続されている。
【００２５】
ここで、ネットワークは、インターネット（クラウド）１０、イントラネット２０、およびローカルネットワーク３０、の少なくともいずれかを含む。
【００２６】
インターネット１０は、ＴＣＰ／ＩＰプロトコル及びその上位階層に存在する様々なサービス、すなわちＨＴＴＰ（Ｈｙｐｅｒ  Ｔｅｘｔ  Ｔｒａｎｓｆｅｒ  Ｐｒｏｔｏｃｏｌ）、Ｔｅｌｎｅｔ、ＦＴＰ（Ｆｉｌｅ  Ｔｒａｎｓｆｅｒ  Ｐｒｏｔｏｃｏｌ）、ＤＮＳ（Ｄｏｍａｉｎ  Ｎａｍｅ  Ｓｙｓｔｅｍ）、ＳＭＴＰ（Ｓｉｍｐｌｅ  ＭａｉｌＴｒａｎｓｆｅｒ  Ｐｒｏｔｏｃｏｌ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ＮＦＳ（Ｎｅｔｗｏｒｋ  Ｆｉｌｅ  Ｓｅｒｖｉｃｅ）、ＮＩＳ（Ｎｅｔｗｏｒｋ  Ｉｎｆｏｒｍａｔｉｏｎ  Ｓｅｒｖｉｃｅ）などを提供する開放型ネットワークである。
【００２７】
また、イントラネット２０は、上記のようなインターネットの標準的な技術（通信プロトコル）を用いて構築された企業内ネットワークであり、企業内等の限定された範囲で情報を共有可能にする。
【００２８】
また、ローカルネットワーク３０は、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピューターやネットワーク機器同士を接続したＬＡＮ（Ｌｏｃａｌ  Ａｒｅａ  Ｎｅｔｗｏｒｋ）、あるいはＬＡＮ同士を専用線で接続したＷＡＮ（Ｗｉｄｅ  Ａｒｅａ  Ｎｅｔｗｏｒｋ）等を含む。
【００２９】
データ管理サーバー１００は、文書ファイル、画像ファイル、写真ファイルなどの各種データを管理する情報処理装置であり、ネットワークを介して接続されたクライアント装置２００から読み書き可能なオンラインストレージとして機能する。
【００３０】
データ管理サーバー１００は、インターネット１０を介してクライアント装置２００と接続する第１のデータ管理サーバー１００ａと、イントラネット２０を介してクライアント装置２００と接続する第２のデータ管理サーバー１００ｂと、ローカルネットワーク３０を介してクライアント装置２００と接続する第３のデータ管理サーバー１００ｃと、に分類される。
【００３１】
なお、図１に示される例では、印刷システム１には、第１〜第３のデータ管理サーバー１００ａ、１００ｂ、１００ｃの全てのデータ管理サーバー１００がネットワークに接続されているが、これに限定されない。印刷システム１には、第１〜第３のデータ管理サーバー１００ａ、１００ｂ、１００ｃのうちの少なくともいずれかがネットワークに接続されていればよく、台数も図示する例に限定されない。
【００３２】
また、クライアント装置２００は、データ管理サーバー１００をオンラインストレージとして利用できる情報処理装置である。
【００３３】
クライアント装置２００は、パーソナルコンピューター（ＰＣ）２００ａと、ユーザーによって携帯可能なコンピューターである携帯端末２００ｂと、少なくとも画像を形成する機能を有する画像形成装置２００ｃと、に分類される。
【００３４】
なお、携帯端末２００ｂには、携帯電話、スマートフォン、タブレット型コンピューター、などが含まれる。また、画像形成装置２００ｃには、プリンター、複写機、ファクシミリ装置、複合機などが含まれる。
【００３５】
図１に示される例では、印刷システム１には、ＰＣ２００ａ、携帯端末２００ｂ、画像形成装置２００ｃの全てのクライアント装置２００がネットワークに接続されているが、これに限定されない。印刷システム１には、ＰＣ２００ａ、携帯端末２００ｂ、画像形成装置２００ｃのうちの少なくともいずれかがネットワークに接続されていればよく、台数も図示する例に限定されない。
【００３６】
図２は、データ管理サーバー１００（第１〜第３のデータ管理サーバー１００ａ、１００ｂ、１００ｃ）の概略構成の一例を示すブロック図である。
【００３７】
図２に示されるとおり、データ管理サーバー１００は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ハードディスク１４、ディスプレイ１５、入力装置１６、およびネットワークインターフェイス１７を含み、これらは信号をやり取りするためのバス１８を介して相互に接続されている。
【００３８】
ＣＰＵ１１は、プログラムにしたがって、上記各構成の制御や各種の演算処理を行う。ＲＯＭ１２は、各種プログラムや各種データを格納する。ＲＡＭ１３は、作業領域として一時的にプログラムやデータを記憶する。
【００３９】
ハードディスク１４は、オペレーティングシステムを含む各種プログラムや、各種データを格納する。ハードディスク１４には、文書ファイル、画像ファイル、写真ファイルなどのドキュメントファイルを作成するためのドキュメントファイル作成アプリケーションがインストールされている。
【００４０】
ディスプレイ１５は、たとえば、液晶ディスプレイであり、各種情報を表示する。入力装置１６は、たとえば、マウス等のポインティングデバイスやキーボードを含み、各種情報の入力を行うために使用される。ネットワークインターフェイス１７は、ネットワークを介して他の機器と通信するためのインターフェイスであり、ＩＰｖ４、ＩＰｖ６、イーサネット（登録商標）、トークンリング、ＦＤＤＩ等の規格が用いられる。
【００４１】
図３は、クライアント装置２００（特に、ＰＣ２００ａと携帯端末２００ｂ）の概略構成の一例を示すブロック図である。
【００４２】
図３に示されるとおり、ＰＣ２００ａと携帯端末２００ｂは、ＣＰＵ２１、ＲＯＭ２２、ＲＡＭ２３、ハードディスク２４、ディスプレイ２５、入力装置２６、およびネットワークインターフェイス２７を含み、これらは信号をやり取りするためのバス２８を介して相互に接続されている。
【００４３】
なお、ＰＣ２００ａ、携帯端末２００ｂの上記各構成のうち、データ管理サーバー１００と同様の機能を有する部分については、その説明を省略する。
【００４４】
ディスプレイ２５は、たとえば、液晶ディスプレイやタッチパネルであり、各種情報を表示する。入力装置１６は、たとえば、マウス等のポインティングデバイス、キーボード、タッチパネルなどを含み、各種情報の入力を行うために使用される。
【００４５】
図４は、クライアント装置２００（特に、画像形成装置２００ｃ）の概略構成の一例を示す図である。
【００４６】
図４に示されるとおり、画像形成装置２００ｃは、ＣＰＵ３１、ＲＯＭ３２、ＲＡＭ３３、ハードディスク３４、操作パネル３５、画像読取機構３６、印刷機構３７、およびネットワークインターフェイス３８を含み、これらは信号をやり取りするためのバス３９を介して相互に接続されている。
【００４７】
なお、画像形成装置２００ｃの上記各構成のうち、データ管理サーバー１００、ＰＣ２００ａ、携帯端末２００ｂと同様の機能を有する部分については、その説明を省略する。
【００４８】
操作パネル部３５は、各種情報の表示および各種指示の入力に使用される。画像読取機構３６は、スキャン機能を実現するための一般的な構成を含み、原稿台に載置された原稿を読み取り、画像を形成する。印刷機構３７は、電子写真式プロセス等の周知の作像プロセスを用いて、印刷ジョブを展開して得られるビットマップ形式の画像データに基づく画像等を用紙等の記録媒体に印刷する。また、印刷機構３７には、画像が形成された用紙に対して、ステープル処理、パンチ穴開け処理、および折り処理等のフィニッシング処理を施すための機構が含まれていてもよい。
【００４９】
なお、データ管理サーバー１００およびクライアント装置２００は、上記構成要素以外の構成要素を含んでいてもよく、あるいは、上記構成要素のうちの一部が含まれていなくてもよい。
【００５０】
図５は、印刷システム１の基本的なソフトウェア構成の一例を示すブロック図である。第１実施形態の印刷システム１では、データ管理サーバー１００に格納されているデータは、ネットワークを介したクライアント装置２００からの遠隔操作によって、格納場所が変更（たとえば、フォルダ間でのファイルの移動）される。
【００５１】
データ管理サーバー１００は、図５に示されるとおり、制御部１０１と、記憶部１０２と、表示部１０３と、操作部１０４と、通信部１０５と、データ格納部１０６と、を有する。
【００５２】
制御部１０１は、データ管理サーバー１００全体の制御を行う。具体的には、制御部１０１は、上述したＣＰＵ１１が、ＲＯＭ１２やハードディスク１４に格納された所定のプログラムや各種データをＲＡＭ１３に読み出して実行することにより、後述する各機能部１０２〜１０６を統括して制御する。
【００５３】
記憶部１０２は、各種データを記憶する。たとえば、記憶部１０２は、後述するデータ格納部１０６に格納されているデータを、インターネット１０上のコンピューターにまで公開（すなわち、アクセスを許可）するのか、イントラネット２０上のコンピューターにまで公開するのか、ローカルネット３０上のコンピューターにだけ公開するのか、といった公開範囲（「アクセスの許可範囲」ともいう）を定める情報（後述する公開範囲データ３００）を記憶する。
【００５４】
なお、記憶部１０２は、たとえば、上述したＲＯＭ１２、ＲＡＭ１３、ハードディスク１４、その他の記憶媒体（フラッシュメモリー等）によって実現され、好ましくは不揮発性の二次記憶装置で構成される。
【００５５】
表示部１０３は、データ管理サーバー１００のメンテナンス等を行うための各種画面を表示する。たとえば、表示部１０３は、上述したディスプレイ１５によって実現される。
【００５６】
操作部１０４は、ユーザーから各種情報の入力を受け付ける。たとえば、操作部１０４は、上述した入力装置１６によって実現される。
【００５７】
通信部１０５は、データ管理サーバー１００をネットワークに接続し、クライアント装置２００と各種データの送受信を行う。たとえば、通信部１０５は、上述したネットワークインターフェイス１７によって実現される。
【００５８】
データ格納部１０６は、ネットワークを介してクライアント装置２００からアクセス可能な記憶領域を有し、文書ファイル、画像ファイル、写真ファイルなどの各種データを格納する。たとえば、データ格納部１０６は、上述したハードディスク１４やデータベースによって実現される。
【００５９】
また、ＰＣ２００ａや携帯端末２００ｂのクライアント装置２００は、図５に示されるとおり、制御部２０１と、記憶部２０２と、表示部２０３と、操作部２０４と、通信部２０５と、を有する。
【００６０】
制御部２０１は、クライアント装置２００（ＰＣ２００ａ、携帯端末２００ｂ）全体の制御を行う。具体的には、制御部２０１は、上述したＣＰＵ２１が、ＲＯＭ２２やハードディスク２４に格納された所定のプログラムや各種データをＲＡＭ２３に読み出して実行することにより、後述する各機能部２０２〜２０５を統括して制御する。
【００６１】
記憶部２０２は、各種データを記憶する。たとえば、記憶部２０２は、データ管理サーバー１００へアップロードするデータ等を記憶する。
【００６２】
なお、記憶部２０２は、たとえば、上述したＲＯＭ２２、ＲＡＭ２３、ハードディスク２４、その他の記憶媒体（ＵＳＢメモリー等）によって実現され、好ましくは不揮発性の二次記憶装置で構成される。
【００６３】
表示部２０３は、データ管理サーバー１００に格納されているデータの格納場所を変更する操作（遠隔操作）を行うための画面等を表示する。たとえば、表示部２０３は、上述したディスプレイ２５によって実現される。なお、データ管理サーバー１００のＧＵＩ（Ｇｒａｐｈｉｃａｌ  Ｕｓｅｒ  Ｉｎｔｅｒｆａｃｅ）やデスクトップ環境をクライアント装置２００から遠隔操作する場合には、一般的なリモートデスクトップの技術（「ＲＤＰ（Ｒｅｍｏｔｅ  Ｄｅｓｋｔｏｐ  Ｐｒｏｔｏｃｏｌ）」、「Ｘ  Ｗｉｎｄｏｗ  Ｓｙｓｔｅｍ」等）を利用すればよい。
【００６４】
操作部２０４は、ユーザーから各種情報の入力を受け付ける。たとえば、操作部２０４は、上述した入力装置２６によって実現される。
【００６５】
通信部２０５は、クライアント装置２００（ＰＣ２００ａ、携帯端末２００ｂ）をネットワークに接続し、データ管理サーバー１００と各種データの送受信を行う。たとえば、通信部２０５は、上述したネットワークインターフェイス２７によって実現される。
【００６６】
また、画像形成装置２００ｃのクライアント装置２００は、図５に示されるとおり、制御部３０１と、記憶部３０２と、表示部３０３と、操作部３０４と、通信部３０５と、画像形成部３０６と、後処理部３０７と、を有する。
【００６７】
制御部３０１は、クライアント装置２００（画像形成装置２００ｃ）全体の制御を行う。具体的には、制御部３０１は、上述したＣＰＵ３１が、ＲＯＭ３２やハードディスク３４に格納された所定のプログラムや各種データをＲＡＭ３３に読み出して実行することにより、後述する各機能部３０２〜３０７を統括して制御する。
【００６８】
記憶部３０２は、各種データを記憶する。たとえば、記憶部３０２は、データ管理サーバー１００へアップロードするデータ等を記憶する。
【００６９】
なお、記憶部３０２は、たとえば、上述したＲＯＭ３２、ＲＡＭ３３、ハードディスク３４、その他の記憶媒体（ＵＳＢメモリー、ＳＤカード等）によって実現される。
【００７０】
表示部３０３は、データ管理サーバー１００に格納されているデータの格納場所を変更する操作（遠隔操作）を行うための画面等を表示する。たとえば、表示部３０３は、上述した操作パネル３５によって実現される。
【００７１】
操作部３０４は、ユーザーから各種情報の入力を受け付ける。たとえば、操作部３０４は、上述した操作パネル３５によって実現される。
【００７２】
通信部３０５は、クライアント装置２００（画像形成装置２００ｃ）をネットワークに接続し、データ管理サーバー１００と各種データの送受信を行う。たとえば、通信部３０５は、上述したネットワークインターフェイス３８によって実現される。
【００７３】
画像形成部３０６は、電子写真式プロセス等の周知の作像プロセスを用いて、印刷ジョブを展開して得られるビットマップ形式の画像データに基づく画像を用紙等の記録媒体に印刷する。たとえば、画像形成部３０６は、上述した画像読取機構３６や印刷機構３７によって実現される。
【００７４】
後処理部３０７は、画像形成部３０６により画像が形成された用紙に対して、ステープル処理、パンチ穴開け処理、および折り処理等のフィニッシング処理を施す。たとえば、後処理部３０７は、上述した印刷機構３７によって実現される。
【００７５】
＜第１実施形態にかかるデータ格納処理＞
以下、第１実施形態にかかるデータ格納処理について説明する。なお、データ格納処理の具体的な処理内容を説明する前に、前提となる設定や条件等の一例について説明する。
【００７６】
データ管理サーバー１００（第１〜第３のデータ管理サーバー１００ａ、１００ｂ、１００ｃ）のデータ格納部１０６には、各種データ（文書データ、画像データ、等）が格納されている。各種データは制御部１０１によってフォルダごとにまとめて管理される。
【００７７】
また、データ管理サーバー１００の制御部１０１は、データ格納処理に先立ち、データ格納部１０６の各種データをまとめているフォルダごとに、公開範囲（アクセスの許可範囲）を設定しておく。
【００７８】
具体的には、通信相手のコンピューターが接続されたネットワークの種類と、ユーザーの種類と、の組み合わせに応じて、公開範囲が設定される。
【００７９】
たとえば、インターネット１０とイントラネット２０とローカルネット３０の全てのネットワーク上のコンピューターにアクセスを許可する第１のネットワーク範囲と、イントラネット２０とローカルネット３０上のコンピューターにアクセスを許可する第２のネットワーク範囲と、ローカルネット３０上のコンピューターにだけアクセスを許可する第３のネットワーク範囲と、のいずれかに設定される。
【００８０】
通信相手のコンピューターを利用する全てのユーザーにアクセスを許可する第１のアクセス権限（「公開」ともいう）と、通信相手のコンピューターを利用する一部のユーザー（またはグループ）にアクセスを許可する第２のアクセス権限（「共有」ともいう）と、通信相手のコンピューターを利用するユーザーのうちアクセス対象のファイルを所有しているユーザー（所有者）にだけアクセスを許可する第３のアクセス権限（「プライベート」ともいう）と、のいずれかに設定される。
【００８１】
ここで、第１のネットワーク範囲と第１のアクセス権限の組み合わせを「第１の公開範囲」とよぶ。また、第１のネットワーク範囲と第２のアクセス権限の組み合わせを「第２の公開範囲」とよぶ。また、第１のネットワーク範囲と第３のアクセス権限の組み合わせを「第３の公開範囲」とよぶ。
【００８２】
同様に、第２のネットワーク範囲と第１のアクセス権限の組み合わせを「第４の公開範囲」とよぶ。また、第２のネットワーク範囲と第２のアクセス権限の組み合わせを「第５の公開範囲」とよぶ。また、第２のネットワーク範囲と第３のアクセス権限の組み合わせを「第６の公開範囲」とよぶ。
【００８３】
また、第３のネットワーク範囲と第１のアクセス権限の組み合わせを「第７の公開範囲」とよぶ。また、第３のネットワーク範囲と第２のアクセス権限の組み合わせを「第８の公開範囲」とよぶ。また、第３のネットワーク範囲と第３のアクセス権限の組み合わせを「第９の公開範囲」とよぶ。
【００８４】
したがって、データ格納部１０６の各種データをまとめている各フォルダには、第１〜第９の公開範囲のいずれかが設定されることになる。
【００８５】
そして、第１〜９の公開範囲のうち、最も公開範囲（アクセスの許可範囲）が広くなるのは、第１の公開範囲が設定された場合とする。また、２番目に公開範囲が広くなるのは、第２、第４、第７の公開範囲が設定された場合とする。また、３番目に公開範囲が広くなるのは、第５、第８の公開範囲が設定された場合とする。また、４番目に公開範囲が広くなるのは、第３の公開範囲が設定された場合とする。また、５番目に公開範囲が広くなるのは、第６の公開範囲が設定された場合とする。そして、最も公開範囲が狭くなるのは、第９の公開範囲が設定された場合とする。
【００８６】
以上のような公開範囲についての設定内容は、記憶部１２０の公開範囲データ３００に保持される。
【００８７】
図６は、公開範囲データ３００の概略データ構造の一例を示す図である。図６に示されるとおり、公開範囲データ３００は、設定名称３１０と、公開ネットワーク３２０と、アクセス権限３３０と、公開範囲の広さ３４０と、が少なくとも対応付けられたレコード３５０を含む。ここで、設定名称３１０は、フォルダごとに設定される公開範囲の名称を示すデータを含み、例えば、上述した「第１の公開範囲」、「第２の公開範囲」等の文字列である。公開ネットワーク３２０には、アクセスを許可するネットワークの範囲を示すデータを含み、例えば、上述した「第１のネットワーク範囲」、「第２のネットワーク範囲」等の文字列である。アクセス権限３３０は、アクセスを許可するユーザーの範囲を示すデータを含み、例えば、上述した「公開」、「共有」、「プライベート」等の文字列である。公開範囲の広さ３４０は、公開範囲の広さについて順位を示すデータを含む。
【００８８】
以上のように、データ格納部１０６の各種データをまとめているフォルダごとに、公開範囲（アクセスの許可範囲）が設定されているものとする。
【００８９】
図７は、第１実施形態にかかるデータ格納処理の手順の一例を示すフローチャート、図８は、クライアント装置２００において表示されるフォルダアイコンの一例を示す図、図９はステップＳ１４でサイズが変更されたターゲット領域６３の一例を示す図である。
【００９０】
第１実施形態にかかるデータ格納処理は、クライアント装置２００により実行される。以下では、クライアント装置２００のうちＰＣ２００ａによって実行される例について説明するが、携帯端末２００ｂや画像形成装置２００ｃによって実行されてもよい。また、図７のフローチャートにより示されるアルゴリズムは、クライアント装置２００のＲＯＭ２２、３２やハードディスク２４、３４にプログラムとして記憶され、ＣＰＵ２１、３１によって実行される。また、図８に示される例では、クライアント端末２００の表示部２０３に、複数のフォルダアイコンが表示されている。
【００９１】
ＰＣ２００ａの制御部２０１は、操作部２０４によるユーザーからの指示に従い、データ管理サーバー１００の任意のフォルダに対してアクセスする。このアクセスに伴って、制御部２０１は、図７に示されるフローチャートを開始する。尚、本発明の別実施形態においては、データ管理サーバー１００の他、ＰＣ２００ａ自体にもデータ格納部を設けてもよく、このようなローカルなデータ格納部内の任意のフォルダに対してアクセスすることによって図７のフローチャートが開始されても良い。
【００９２】
まず、制御部２０１は、ユーザーにアクセスされたデータ格納部１０６内のフォルダの構成（階層、当該フォルダに含まれる他のフォルダやデータ等）を示すデータを、データ管理サーバー１００から通信部２０５を介して受信し、フォルダを示すフォルダアイコンや文書データ等を示すファイルを示すファイルアイコンとして、表示部２０３に表示する（ステップＳ１１）。
【００９３】
ここで、制御部２０１は、フォルダアイコン６１、６２ごとに、任意のデータ（文書ファイル等）の格納を受け付けるターゲット領域６３（図８に示す網掛け領域）を設ける。
【００９４】
また、制御部２０１は、フォルダアイコン６１、６２ごとに、任意のデータ（文書ファイル等）を格納するための予備動作を検知する検知領域６４（図８に示す点線で囲まれた領域）を設ける。なお、検知領域６４は、少なくともターゲット領域６３以上のサイズに設定される。
【００９５】
上記のように、フォルダアイコン６１、６２ごとにターゲット領域６３と検知領域６４が設けられた状態において、制御部２０１は、任意のデータ（文書ファイル等）をいずれかのフォルダに格納するための予備動作がなされたかどうか判断する（ステップＳ１２）。具体的には、制御部２０１は、任意のデータを指定した状態（たとえば、文書ファイルのアイコンをドラッグした状態）でカーソル（たとえば、マウスポインター）が検知領域６４に進入した場合に（図８に示す地点Ａ）、当該データをフォルダ内に格納するための予備動作がなされたと判断する。
【００９６】
制御部２０１は、予備動作がされない場合（ステップＳ１２：Ｎｏ）、ステップＳ１２の処理を繰り返すことによって、当該予備動作がなされたかを監視を続ける。
【００９７】
一方、予備動作がなされたことを検知すると（ステップＳ１２：Ｙｅｓ）、制御部２０１は、検知された予備動作によってデータが格納されうる格納先フォルダ（図示する例では、フォルダアイコン６２に対応するフォルダ）に設定されている公開範囲と、当該データを元から格納している格納元フォルダ（図示する例では、フォルダアイコン６１に対応するフォルダ）に設定されている公開範囲と、を比較する（ステップＳ１３）。たとえば、制御部２０１は、通信部２０５を介してデータ管理サーバー１００から公開範囲データ３００を取得し、格納先フォルダと格納元フォルダのそれぞれに設定されている公開範囲（すなわち、設定名称３１０）を特定する。そして、制御部２０１は、特定した公開範囲の広さ（すなわち、特定した設定名称３１０に対応付けられている公開範囲の広さ３４０）を比較して、公開範囲の広さが異なるか判断する。
【００９８】
制御部２０１は、格納先フォルダと格納元フォルダとで設定されている公開範囲の広さが異なる場合には（ステップＳ１３：Ｙｅｓ）、ステップＳ１４に進む。
【００９９】
制御部２０１は、格納先フォルダへのデータの格納を制限する（ステップＳ１４）。たとえば、制御部２０１は、格納先フォルダに設けられたターゲット領域６３を基準状態から変更することによって、格納先フォルダへのデータの格納を制限する。ここで、ターゲット領域６３の基準状態とは、図８の網掛け領域に示されるように、フォルダアイコン６２と略同位置に設けられ、フォルダアイコン６２と略同サイズの矩形領域を有する状態をいう。そして、ステップＳ１４においては、制御部２０１は、ターゲット領域６３のサイズを、基準状態よりも小さくする。
【０１００】
図９に示されるとおり、ターゲット領域６３が基準状態よりも小さいため、フォルダアイコン６２の中心部分に正確にデータ（たとえば、文書ファイルのアイコン）を格納する操作（たとえば、ドロップ）が行われない限り、格納先フォルダに当該データを格納することができない。ここで、フォルダアイコンの中心部分に正確にデータを格納する操作とは、たとえば、文書ファイルのファイルアイコンを、基準状態より小さくなったターゲット領域６３内にドラッグアンドドロップする操作である。このようにして、格納先フォルダへのデータの格納を制限できる。
【０１０１】
また、格納先フォルダに設定されている公開範囲の広さが、格納元フォルダに設定されている公開範囲の広さと一致する場合には（ステップＳ１３：Ｎｏ）、ステップＳ１５に進む。
【０１０２】
ステップＳ１５では、制御部２０１は、格納先フォルダへのデータの格納について無制限にする（ステップＳ１５）。たとえば、制御部２０１は、格納先フォルダに設けられたターゲット領域６３を基準状態に維持することによって、格納先フォルダへのデータの格納について無制限にする。
【０１０３】
ステップＳ１４またはＳ１５の処理が終了後、ステップＳ１２に戻り、処理が繰り返される。
【０１０４】
以上のデータ格納処理をＰＣ２００ａで行うことにより、格納元フォルダに設定されている公開範囲と、格納先フォルダに設定されている公開範囲と、が異なる場合には、格納先フォルダにデータを格納しにくくし、格納を制限できる。
【０１０５】
これにより、たとえば、格納先フォルダに設定されている公開範囲が、格納元フォルダに設定されている公開範囲よりも広い場合でも、意識せずに公開させたくない相手にまでデータを公開してしまうことを回避できる。換言すると、格納を制限することで、公開範囲を拡大しようとしていることをユーザーに知らせることができる。
【０１０６】
また、格納先フォルダに設定されている公開範囲が、格納元フォルダに設定されている公開範囲よりも狭い場合には、意識せずに公開しておく必要のあったデータを非公開にしてしまうことを回避できる。換言すると、公開範囲を縮小しようとしていることをユーザーに知らせることができる。
【０１０７】
また、カーソル（たとえば、マウスポインター）の移動には制限をかけないため、ユーザーの操作を中断させることなく、意図しない公開範囲の変更を制限できる。
【０１０８】
なお、上記したフローチャートの各処理単位は、印刷システム１の理解を容易にするために、主な処理内容に応じて分割したものである。処理ステップの分類の仕方やその名称によって、本願発明が制限されることはない。ＰＣ２００ａが行う処理は、さらに多くの処理ステップに分割することもできる。また、１つの処理ステップが、さらに多くの処理を実行してもよい。
【０１０９】
また、上記の第１実施形態は、本発明の要旨を例示することを意図し、本発明を限定するものではない。多くの代替物、修正、変形例は当業者にとって明らかである。
【０１１０】
たとえば、上記の第１実施形態では、ステップＳ１４において、制御部２０１は、ターゲット領域６３のサイズを、基準状態よりも小さくする例について説明している。しかし、これに限定されず、ターゲット領域６３のサイズ、形状、および位置の少なくともいずれかを変更してよい。尚、ターゲット領域６３をユーザーに対して視覚的に明示する形態にあっては、当該ターゲット領域６３の色を、注意を促す色（例えば赤）に変更するようにしても良い。
【０１１１】
図１０は、ターゲット領域６３についての各種変形例を示す図である。図１０（Ａ）は、ターゲット領域６３についての変形例１を示す図である。フォルダアイコンの横方向（Ｘ軸方向）の長さを「ｍ」とし、フォルダアイコンの縦方向（Ｙ軸方向）の長さを「ｎ」とする。この場合に、制御部２０１は、横方向の「ｍ／４」から「３ｍ／４」までの範囲、かつ、縦方向の「ｎ／４」から「３ｎ／４」までの範囲に含まれる領域を、ターゲット領域６３としてもよい。こうすることにより、矩形形状のターゲット領域６３をフォルダアイコンの中心部分に設けることができる。
【０１１２】
また、図１０（Ｂ）は、ターゲット領域６３についての変形例２を示す図である。図１０（Ｂ）に示されるとおり、制御部２０１は、横方向の「０」から「ｍ／５」までの範囲、かつ、縦方向の「０」から「ｎ」までの範囲に含まれる領域を、ターゲット領域６３としてもよい。こうすることにより、フォルダアイコンの端（左端）にターゲット領域６３を片寄せして設けることができる。ここで、ターゲット領域６３をフォルダアイコンのどの端に片寄するかについては、格納元フォルダと格納先フォルダとの位置関係によって適宜変更しても良い。例えば、格納先フォルダのフォルダアイコンの、格納元フォルダから遠い位置となる端に片寄せするようにしても良い。
【０１１３】
また、図１０（Ｃ）は、ターゲット領域６３についての変形例３を示す図である。図１０（Ｃ）に示されるとおり、制御部２０１は、横方向の「０」から「ｍ」までの範囲、かつ、縦方向の「２ｎ／５」から「３ｎ／５」までの範囲に含まれる領域を、ターゲット領域６３としてもよい。こうすることにより、フォルダアイコンの中央部分に細長い形状のターゲット領域６３を設けることができる。
【０１１４】
もちろん、ターゲット領域６３の形状は、矩形以外の円、楕円、多角形等の形状でもよい。また、制御部２０１は、ターゲット領域６３を表示部２０３に明示させてもよく、ターゲット領域６３を強調するための色（たとえば、赤）で表示してもよい。
【０１１５】
また、上記の第１実施形態では、検知領域６４を矩形にしているが、これに限定されず、少なくともターゲット領域６３以上のサイズであれば、どのような形状であってもよい。
【０１１６】
また、上記の第１実施形態では、制御部２０１は、ステップＳ１３において、データ管理サーバー１００から公開範囲データ３００を取得している。しかし、これに限定されず、制御部２０１は、図７に示されるフローチャートの開始に先立ち、予めデータ管理サーバー１００から取得しておいてもよい。
【０１１７】
（第２実施形態）
次に、本発明の第２実施形態について説明する。
【０１１８】
上述した第１実施形態では、ＰＣ２００ａの制御部２０１は、ターゲット領域６３のサイズを基準状態より小さくすることによって、格納先フォルダへのデータの格納を制限している。
【０１１９】
これに対し、第２実施形態では、制御部２０１は、カーソル（たとえば、マウスポインター）がターゲット領域６３に進入しうる方向のうちの一部の方向について、格納先フォルダへのデータの格納を不許可にする。
【０１２０】
なお、第２実施形態の印刷システム１は、第１実施形態と同様のハードウェア構成、機能構成からなり、第１実施形態の印刷システム１とは動作が異なる。以下、第２実施形態の説明は、第１実施形態と異なる部分を中心に説明する。
【０１２１】
＜第２実施形態にかかるデータ格納処理＞
図１１は第２実施形態にかかるデータ格納処理の手順の一例を示すフローチャート、図１２はクライアント装置において表示されるフォルダアイコンの一例を示す図、図１３は一部の方向からの格納が制限されていても、他の方向からの格納は制限されない例を示す図である。第２実施形態にかかるデータ格納処理も、クライアント装置２００により実行される。以下では、クライアント装置２００のうちＰＣ２００ａによって実行される例について説明するが、携帯端末２００ｂや画像形成装置２００ｃによって実行されてもよい。また、図１１のフローチャートにより示されるアルゴリズムは、クライアント装置２００のＲＯＭ２２、３２やハードディスク２４、３４にプログラムとして記憶され、ＣＰＵ２１、３１によって実行される。また、図１２に示される例では、表示部２０３に、複数のフォルダアイコン６１、６２が表示されている。
【０１２２】
なお、第１実施形態と同様に、第２実施形態においても、図１１に示されるフローチャートの開始に先立ち、データ管理サーバー１００側のデータ格納部１０６には、各種データ（文書データ、画像データ、等）が格納されているものとする。各種データは制御部１０１によってフォルダごとにまとめて管理される。
【０１２３】
また、フォルダごとに公開範囲（アクセスの許可範囲）も設定されているものとする。
【０１２４】
そして、ＰＣ２００ａの制御部２０１は、操作部２０４によるユーザーからの指示に従い、データ管理サーバー１００の任意のフォルダにアクセスする。このアクセスに伴って、制御部２０１は、図１１に示されるフローチャートを開始する。
【０１２５】
まず、制御部２０１は、上記の第１実施形態で説明したステップＳ１１と同様の処理を実行し、フォルダアイコンを表示部２０３に表示する（ステップＳ２１）。
【０１２６】
第１実施形態と同様に、制御部２０１は、フォルダアイコン６１、６２ごとに、任意のデータ（文書ファイル等）の格納を受け付けるターゲット領域６３（図１２に示す網掛け領域）を設ける。
【０１２７】
また、制御部２０１は、フォルダアイコン６１、６２ごとに、任意のデータ（文書ファイル等）を格納するための予備動作を検知する検知領域６４（図１２に示す点線で囲まれた領域）を設ける。
【０１２８】
次に、制御部２０１は、フォルダアイコンごとに設けられているターゲット領域６３の外縁（ターゲット領域６３が矩形の場合は上下左右の４辺）のどの部分をカーソル（たとえば、マウスポインター）が通過しても、データを格納先フォルダに格納可能に設定する（ステップＳ２２）。すなわち、制御部２０１は、任意のデータを指定した状態（たとえば、文書ファイルのアイコンをドラッグした状態）であっても、カーソル（たとえば、マウスポインター）がどの方向からでもターゲット領域６３に進入できるようにしておく。
【０１２９】
続いて、制御部２０１は、上記の第１実施形態で説明したステップＳ１２、Ｓ１３と同様の処理を実行する（ステップＳ２３、Ｓ２４）。すなわち、制御部２０１は、任意のデータ（文書ファイル等）をフォルダ内に格納するための予備動作がなされたかどうか判断し、たとえば、図１２に示す地点Ａにおいて予備動作がなされたことを検知すると、格納先フォルダに設定されている公開範囲と、格納元フォルダに設定されている公開範囲と、を比較する。
【０１３０】
そして、制御部２０１は、格納先フォルダに設定されている公開範囲の広さが、格納元フォルダに設定されている公開範囲の広さと一致する場合には（ステップＳ２４：Ｎｏ）、ターゲット領域６３の状態を変更する必要がないので、ステップＳ２３に戻る。
【０１３１】
一方、制御部２０１は、納先フォルダに設定されている公開範囲の広さが、格納元フォルダに設定されている公開範囲の広さと異なる場合には（ステップＳ２４：Ｙｅｓ）、ステップＳ２５に進む。
【０１３２】
ステップＳ２５では、制御部２０１は、格納を制限するためのターゲット領域６３の外縁を決定する（ステップＳ２５）。たとえば、ターゲット領域６３が矩形の場合、制御部２０１は、格納先フォルダと格納元フォルダを結ぶ直線と交差するターゲット領域６３の上下左右のいずれかの辺を、格納を制限するための外縁に決定する。格納先フォルダと格納元フォルダを結ぶ直線は、フォルダアイコン６２の中心点とフォルダアイコン６１の中心点を結ぶ直線としてもよい。尚、格納元フォルダ及び格納先フォルダの双方或いは一方のみが展開されウィンドウ表示されている場合も考えられる。双方がウィンドウ表示されている場合、一方のウィンドウの中心点と他方のウィンドウの中心点を結ぶ直線としてもよい。一方のみがウィンドウ表示されている場合は、ウィンドウの中心点とフォルダアイコンの中心点とを結ぶ直線としてもよい。或いは、ウィンドウ表示されていることに関わらず、フォルダアイコン６２とフォルダアイコン６１の中心点を結ぶ直線としてもよい。
【０１３３】
図１２に示す例では、フォルダアイコン６２の中心点とフォルダアイコン６１の中心点を結ぶ直線は、ターゲット領域６３の外縁部分と地点Ｂ（白丸）で交差している。したがって、制御部２０１は、ターゲット領域６３の外縁を構成する辺のうち、右側（格納元フォルダのアイコン６１側）の辺（太線）を、格納の制限に関する辺に決定する。
【０１３４】
次に、制御部２０１は、格納先フォルダに設けられたターゲット領域６３を、ステップＳ２２で設定された状態（基準状態）から変更することによって、格納先フォルダへのデータの格納を制限する（ステップＳ２６）。たとえば、制御部２０１は、カーソルがステップＳ２５で決定された外縁部分を通過する場合には、格納先フォルダへのデータの格納ができないように設定する。
【０１３５】
なお、ステップＳ２５で決定された外縁部分以外の部分をカーソルが通過する場合には、格納先フォルダへのデータの格納は許可される。
【０１３６】
図１３に示されるとおり、制御部２０１は、ステップＳ２５でカーソルが通過すると決定された辺（太線）以外の辺（ターゲット領域６３の上、左、下の辺）をカーソルが通過する場合には、格納先フォルダへのデータの格納を許可している。そのため、格納元フォルダから格納先フォルダに向かって直線的にデータを移動させた場合には、格納先フォルダにデータを格納することはできない。その一方で、ステップＳ２５でカーソルが通過すると決定された辺（太線）を回り込んでデータを移動させた場合には、格納先フォルダにデータを格納することができる。
【０１３７】
ステップＳ２６の処理が終了後、ステップＳ２３に戻る。
【０１３８】
以上のデータ格納処理をＰＣ２００ａで行うことにより、格納元フォルダに設定されている公開範囲と、格納先フォルダに設定されている公開範囲と、が異なる場合には、格納先フォルダにデータを格納しにくくし、格納を制限することができる。
【０１３９】
特に、格納元フォルダから格納先フォルダに向かって直線的にデータを移動させた場合には、格納先フォルダにデータを格納させない。したがって、データの格納に最も簡単または最も実行されそうな操作による格納を不可にすることで、意識しない公開範囲の変更を確実に回避できる。
【０１４０】
これにより、たとえば、格納先フォルダに設定されている公開範囲が、格納元フォルダに設定されている公開範囲よりも広い場合でも、意識せずに公開させたくない相手にまでデータを公開してしまうことを回避できる。換言すると、格納を制限することで、公開範囲を拡大しようとしていることをユーザーに知らせることができる。
【０１４１】
また、格納先フォルダに設定されている公開範囲が、格納元フォルダに設定されている公開範囲よりも狭い場合には、意識せずに公開しておく必要のあったデータを非公開にしてしまうことを回避できる。換言すると、公開範囲を縮小しようとしていることをユーザーに知らせることができる。
【０１４２】
また、カーソル（たとえば、マウスポインター）の移動には制限をかけないため、ユーザーの操作を中断させることなく、意図しない公開範囲の変更を制限できる。
【０１４３】
なお、上記したフローチャートの各処理単位は、印刷システム１の理解を容易にするために、主な処理内容に応じて分割したものである。処理ステップの分類の仕方やその名称によって、本願発明が制限されることはない。ＰＣ２００ａが行う処理は、さらに多くの処理ステップに分割することもできる。また、１つの処理ステップが、さらに多くの処理を実行してもよい。
【０１４４】
また、上記の第２実施形態は、本発明の要旨を例示することを意図し、本発明を限定するものではない。多くの代替物、修正、変形例は当業者にとって明らかである。
【０１４５】
たとえば、ターゲット領域６３の形状を、矩形以外の形状（たとえば、円、楕円、等）としてもよい。
【０１４６】
図１４は、ターゲット領域６３の形状の各種変形例を示す図である。図１４（Ａ）は、ターゲット領域６３の形状を円にした場合の変形例１を示す図である。図１４（Ａ）に示されるとおり、ターゲット領域６３の形状を円にした場合には、制御部２０１は、上記のステップＳ２５において、格納先フォルダと格納元フォルダを結ぶ直線と交差する円弧（中心角６０°の円弧）Ｌを、カーソルが通過する外縁部分と決定する。
【０１４７】
こうすることにより、ターゲット領域６３の形状を円にした場合でも、格納元フォルダから格納先フォルダに向かって直線的にデータを移動させた場合には、格納先フォルダにデータを格納できないようにできる。
【０１４８】
図１４（Ｂ）は、ターゲット領域６３の形状を立方体のように表した変形例２を示す図である。実際には、ディスプレイは平面なので、３つの平行四辺形を結合した形状によりターゲット領域６３を立体に表現している。図１４（Ｂ）に示される通り、ターゲット領域６３の形状を立方体にした場合には、制御部２０１は、上記のステップＳ２５において、格納先フォルダと格納元フォルダを結ぶ直線と交差する１つの平行四辺形（縦縞の領域）Ｓを、カーソルが通過する外縁部分と決定する。こうすることにより、ターゲット領域６３の形状を立方体にした場合でも、格納元フォルダから格納先フォルダに向かって直線的にデータを移動させた場合には、格納先フォルダにデータを格納できないようにできる。
【０１４９】
また、制御部２０１は、第２実施形態においても、ターゲット領域６３を表示部２０３に明示させてもよく、ターゲット領域６３を強調するための色（たとえば、赤）で表示してもよい。
【０１５０】
また、検知領域６４についても、少なくともターゲット領域６３以上のサイズであれば、どのような形状であってもよい。
【０１５１】
また、上記の第２実施形態では、矩形のターゲット領域６３の外縁を構成する１辺上をカーソルが通過する場合に、格納先フォルダへのデータの格納を不許可にしている。しかし、これに限られず、格納先フォルダへのデータの格納を不許可にするのは、ターゲット領域６３の外縁を構成する１辺のうちの一部区間（たとえば、中央部分）上をカーソルが通過した場合としてもよい。また、ターゲット領域６３の外縁を構成する複数の辺（２辺、３辺）のうちいずれかの辺上をカーソルが通過した場合としてもよい。
【０１５２】
また、上記の第１実施形態および第２実施形態では、公開範囲データ３００に含まれる公開範囲の広さ３４０の順位は、予め決められているものとして説明している。しかし、本発明は、これに限定されず、公開範囲の広さ３４０の順位について、ユーザーが任意に変更できるようにしてもよい。
【０１５３】
図１５は、公開範囲の広さ３４０の順位を変更するための変更画面４００を示す図である。図１５に示されるとおり、制御部２０１は、変更画面４００を表示部２０３に表示する。変更画面４００には、公開範囲データ３００に含まれる公開ネットワーク３２０とアクセス権限３３０をそれぞれ示す領域４１０、４２０が設けられる。そして、上ボタン４３０と下ボタン４４０が操作されることにより、公開ネットワーク３２０とアクセス権限３３０の組み合わせごとにある第１〜９の公開範囲３１０について、公開範囲の広さ３４０の順位を自由に変更することができる。
【０１５４】
また、上記の第１実施形態および第２実施形態では、データをドラッグアンドドロップにより格納先フォルダに格納する例について説明している。しかし、本発明は、これに限定されず、データをコピー（あるいは、切り取り）する指示と、当該データを格納先フォルダ内にペーストする指示さえ入力されればよい。ただし、この場合においても、カーソル（たとえば、マウスポインター）が検知領域６４に進入したときに、格納先フォルダにデータを格納するための予備動作がなされたと判断する。
【０１５５】
また、本発明の実施形態としてフォルダが展開されウィンドウ表示される形態における扱いについて上述したが、特に格納先フォルダについては、展開されずにフォルダアイコン表示されている場合と、展開されてウィンドウ表示されている場合と、によって制御を異ならせても良い。具体的には、フォルダアイコン表示されている場合は予備動作を検知したら上記の第１、第２実施形態に従ったファイル移動制限の制御を行い、ウィンドウ表示されている場合は予備動作を検知したらファイル移動に関する警告表示を行うこととしても良い。
【０１５６】
以上の印刷システム１の構成は、上記の各実施形態の特徴を説明するにあたって主要構成を説明したのであって、上記の構成に限られない。また、一般的なデータ管理サーバー１００、クライアント装置２００（ＰＣ２００ａ、携帯端末２００ｂ、画像形成装置２００ｃ）が備える構成を排除するものではない。
【０１５７】
また、上記した印刷システム１の各機能構成は、各機能構成を理解容易にするために、主な処理内容に応じて分類したものである。構成要素の分類の仕方や名称によって、本願発明が制限されることはない。各機能構成は、処理内容に応じて、さらに多くの構成要素に分類することもできる。また、１つの構成要素がさらに多くの処理を実行するように分類することもできる。
【０１５８】
また、データ管理サーバー１００、クライアント装置２００を動作させるプログラムは、ＵＳＢメモリー、フロッピー（登録商標）ディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＲＯＭやＨＤＤ等に転送され記憶される。また、このプログラムは、たとえば、単独のアプリケーションソフトとして提供されてもよいし、データ管理サーバー１００、クライアント装置２００の一機能としてその装置のソフトウェアに組み込んでもよい。
【０１５９】
また、上記の各構成要素の処理は、専用のハードウェア回路によっても実現することもできる。この場合には、１つのハードウェアで実行されてもよいし、複数のハードウェアで実行されてもよい。
【符号の説明】
【０１６０】
１  印刷システム、
１０  インターネット、
２０  イントラネット、
３０  ローカルネットワーク、
６１、６２  フォルダアイコン、
６３  ターゲット領域、
６４  検知領域、
１００  データ管理サーバー、
１０１  制御部（データ管理サーバー）、
１０６  データ格納部、
２００  クライアント装置、
２００ａ  ＰＣ、
２００ｂ  携帯端末、
２００ｃ  画像形成装置、
２０１  制御部（ＰＣ、携帯端末）、
３００  公開範囲データ、
３０１  制御部（画像形成装置）、
３１０  設定名称、
３２０  公開ネットワーク、
３３０  アクセス権限、
３４０  公開範囲の広さ、
４００  変更画面。
【図１】
0005857872.tif 000002
【図２】
0005857872.tif 000003
【図３】
0005857872.tif 000004
【図４】
0005857872.tif 000005
【図５】
0005857872.tif 000006
【図６】
0005857872.tif 000007
【図７】
0005857872.tif 000008
【図８】
0005857872.tif 000009
【図９】
0005857872.tif 000010
【図１０】
0005857872.tif 000011
【図１１】
0005857872.tif 000012
【図１２】
0005857872.tif 000013
【図１３】
0005857872.tif 000014
【図１４】
0005857872.tif 000015
【図１５】
0005857872.tif 000016